(57)【要約】【課題】本発明は足裏が誰にでも簡単に洗え、その上足裏をブラシの上で揺り動かすことによって足裏の血行を良くすることが出来る健康足裏洗い具に関するものである。【解決手段】一体成型で中程より手前側が少し盛り上がった形状で左側にやわらかめのブラシからなるソフトブラシ左側部（１）・同様に右側にソフトブラシ右側部（２）を有する成型部（３）を設け、中程より手前側が少し盛り上がった形状の台部（６）と台部（６）の上面に硬めのブラシを植設したハードブラシ部（５）からなる植設部（４）を成型部（３）のソフトブラシ左側部（１）とソフトブラシ右側部（２）の間にはめ込んで成したことを特徴とする。【選択図】    図３
2004237037.tif 000002
【特許請求の範囲】
【請求項１】
（イ）  一体成型で中程より手前側が少し盛り上がった形状で左側にやわらかめのブラシからなるソフトブラシ左側部（１）、同様に右側にソフトブラシ右側部（２）を有する成型部（３）を設ける。
（ロ）  中程より手前側が少し盛り上がった形状の台部（６）と台部（６）の上面に硬めのブラシを植設したハードブラシ部（５）からなる植設部（４）を設ける。
（ハ）  植毛部（４）を成型部（３）のソフトブラシ左側部（１）とソフトブラシ右側部（２）の間にはめ込む。
本発明は、以上の構成からなる健康足裏洗い具である。
【発明の詳細な説明】
【０００１】
【発明の属する技術分野】
本発明は、足裏が誰にでも簡単に洗え、その上足裏をブラシの上で揺り動かすことによって足裏の血行を良くすることが出来る健康足裏洗い具に関するものである。
【０００２】
【従来の技術】
身体の健康を維持し向上させるためには、身体の隅々まで血液が流れることが大変重要であるということは当然のことである。人間が日中起きている時は、心臓から出た血液は足裏の先端まで行ったあと重力に逆らって心臓まで再び戻ることは考えれば大変な作業であるといわざるを得ない。そこで足裏の果たす役割は大である。然るに一般的に足裏はさほど重要視されていないのが現状である。
一般に入浴時においても足裏を丹念洗うことはあまりしていないという人のほうが多いものと思われる。
【０００３】
従来よく知られているように足裏は第二の心臓といわれ、いわゆる「ツボ」があり、土踏まずを刺激することにより足の疲れを癒したり、血流がよくなるなどということは一般によく知られている。又、健常者ではさほどでもないが、身体障害者や高齢者などが体を折り曲げて足裏を洗うのは大変な作業である。そこで最近では、足裏を簡単に洗うことが出来る商品が出始めている。例えば足裏を洗う道具としては足裏摺洗具（特許文献参照１）等も知られている。又、足先の両端部を洗う道具としては足裏洗い具（特許文献２参照）なども知られている。
【０００４】
【特許文献１】
公開番号：実用新案公開平６−３３５９１  公開日：１９９４年５月６日  出願人：藤江  昭一  発明者：藤江  昭一  発明の名称：足裏摺洗具
【０００５】
【特許文献２】
公開番号：特許公開２０００−１４５９３  公開日：２０００年１月１８日出願人：積水化学工業株式会社  発明者：黒田  實  発明の名称：足裏洗い具
【０００６】
【発明が解決しようとする課題】
しかしながら、上記記載の足裏摺洗具は足裏は洗うことが出来るが、足の両端や左右は洗うことは難しくて不向きである。また足裏洗い具は足裏の両端も洗うことは可能であるが、植毛部分が多くコスト面で問題があり、一般に普及とまでは至っていないのが現状である。そこで本発明は健常者は言うに及ばず身体障害者や高齢者でも簡単に足裏を洗うことが出来るにも拘らず、製造も簡単に出来、その上安価で供給できる健康足裏洗い具を提供することにある。
【０００７】
【課題を解決するための手段】
上記目的を達成するために、
（イ）  一体成型で中程より手前側が少し盛り上がった形状で左側にやわらかめのブラシからなるソフトブラシ左側部（１）、同様に右側にソフトブラシ右側部（２）を有する成型部（３）を設ける。
（ロ）  中程より手前側が少し盛り上がった形状の台部（６）と台部（６）の上面に硬めのブラシを植設したハードブラシ部（５）からなる植設部（４）を設ける。
（ハ）  植設部（４）を成型部（３）のソフトブラシ左側部（１）とソフトブラシ右側部（２）の間にはめ込む。
本発明は、以上の構成からなる健康足裏洗い具である。
【０００８】
【発明の実施の形態】
以下本発明の実施の形態について図面に基づいて説明する。
図１は、本発明の植設部（４）で植毛しているハードブラシ部（５）は硬めであれば素材は限定されないが、例えばポリプロピレンやポリエステル・スチール・ステンレスなどが使用出来る。台部（６）の素材は、ブラシが植設出来る素材であれば限定されないが、ポリプロピレンやポリエステル・塩化ビニール・ＡＢＳ樹脂・木材などが使用出来る。
【０００９】
図２は、本発明の成型部（３）及びソフトブラシ左側部（１）・ソフトブラシ右側部（２）で全体が一体成型で設ける。素材は塩化ビニールが最適であるが、その他やわらかいブラシが出来る素材であれば特に限定されるものではない。塩化ビニールなどのやわらかい素材を用いて一体成型で設けることにより、安価で簡単に作り上げることが出来る。
【００１０】
図３は、植設部（４）を成型部（３）のソフトブラシ左側部（１）とソフトブラシ右側部（２）の間にはめ込んだ図である。
【００１１】
ソフトブラシ左側部（１）とソフトブラシ右側部（２）及びハードブラシ部（５）の各部は中央部は左右よりも若干低くしてブラシは真っ直ぐ上向きにし、左斜面はブラシを右向きにし、右斜面はブラシを左向きに設ける。ブラシの毛の長さは必要に応じて調整して最適な長さに合わせる。
【００１２】
成型部（３）の裏面には滑り止め加工を施すことによって足を摺り動かすときに、足に引っ張られて本発明品の健康足裏洗い具が動くことがなくなる。滑り止めの方法は吸盤などが考えられるがこれに限定されるものではない。又、本発明品は植設部（４）を中央に設けた場合で説明してきたが、当然のことながらこれに限定されるものではなく左右のどちら側でも良く、又左右両方でもよい。
【００１３】
これを使用するときは、必要に応じて洗剤をソフトブラシ左側部（１）・ソフトブラシ右側部（２）の中央部に適量撒き、左足をソフトブラシ左側部（１）に右足をソフトブラシ右側部（２）に載せそれぞれ摺り動かせる。洗剤はあってもなくてもよい。足裏の感触がやわらかすぎて物足りなく感じた場合は中央のブラシ毛の硬い植設部（４）の上で同様に足裏を摺り動かせる。
【００１４】
足を前後に動かすことによって洗剤とブラシによって簡単に足裏全体を洗うことが出来る。身体障害者や高齢者などでも無理に身体を曲げる必要がないので楽に足裏を洗うことが出来るようになる。足をいろいろな角度に置いて摺り動かすことや、やわらかめと硬めのブラシの毛を両方組み合わせることによって足裏に快適な刺激を与えることが可能になる。
【００１５】
【発明の効果】
前述の通り、身体障害者や高齢者などでも足裏を簡単に洗うことが出来る上に、足裏に適当な刺激を与えることによって血行を促すことが出来、足裏の美麗に役立つ上に健康増進に寄与する画期的な発明であると自負出来る。又従来品に比べてやわらかめのブラシ部分を一体成型で作ることにより製造コストを格安に下げることが可能になった。
【図面の簡単な説明】
【図１】本発明の植設部の斜視図
【図２】本発明の成型部の斜視図
【図３】本発明の健康足裏洗い具の斜視図
【符号の説明】
（１）    ソフトブラシ左側部
（２）    ソフトブラシ右側部
（３）    成型部
（４）    植設部
（５）    ハードブラシ部
（６）    台部
【図１】
2004237037.tif 000003
【図２】
2004237037.tif 000004
【図３】
2004237037.tif 000005